(57)【要約】【課題】簡単な構成で、生成される描画データの印刷域外に描画データの色情報を示す文字列等を印刷して、描画データのカラー印刷結果と本来の描画データとが混在して視認性を損ねることなく、その色見の違いを文字情報で伝達可能な印刷結果を自在に得ることである。【解決手段】プリンタドライバ２０３が描画データから抽出される色情報の各出力領域に割り付ける文字列をデータベースから抽出し、該抽出される文字列を前記位置情報に基づいて描画データの印刷域の外側に割り付け、前記描画データまたは文字列が割り付けられる描画データを生成し、該生成される描画データをプリンタ１５０が印刷可能な印刷データに変換して転送する構成を特徴とする。【選択図】図２
2006039694.tif 000002
【特許請求の範囲】
【請求項１】
カラー印刷処理を行う印刷装置と通信可能な情報処理装置であって、
描画データから描画オブジェクトの位置情報を抽出する位置情報抽出手段と、
前記描画データから色情報を抽出する色情報抽出手段と、
色情報を文字情報に置換するための文字情報を記憶するデータベースと、
前記色情報抽出手段により抽出した色情報を基に前記データベースから該当する文字列を抽出する文字列抽出手段と、
前記文字列抽出手段により抽出される文字列を前記位置情報に基づいて描画データの印刷域の外側に割り付ける割り付け手段と、
前記描画データまたは前記割り付け手段により前記文字列が割り付けられる描画データを生成し、該生成される描画データを前記印刷装置が印刷可能な印刷データに変換して転送する制御手段と、
を備えることを特徴とする情報処理装置。
【請求項２】
前記割り付け手段は、前記印刷装置から取得される用紙資源情報を参照して、前記描画データに設定される用紙サイズよりもサイズが大きい用紙を選択可能かどうかを判断する判断手段と、
前記判断手段により前記描画データに設定される用紙サイズよりもサイズが大きい用紙を選択可能であると判断した場合、前記描画データに設定される用紙サイズよりもサイズが大きい用紙を用紙サイズに設定する第１の用紙設定手段と、
前記判断手段により前記描画データに設定される用紙サイズよりもサイズが大きい用紙を選択不可であると判断した場合、前記描画データの出力サイズを縮小する用紙サイズに設定する第２の用紙設定手段と、
を有することを特徴とする請求項１記載の情報処理装置。
【請求項３】
前記割り付け手段は、文字列と色領域の出力位置とを関係づける引き出し線を前記描画データに付加することを特徴とする請求項１記載の情報処理装置。
【請求項４】
前記制御手段は、前記描画データおよび前記割り付け手段により前記文字列が割り付けられる描画データを前記印刷装置が印刷可能な異なる頁の印刷データに変換して連続して転送することを特徴とする請求項１記載の情報処理装置。
【請求項５】
前記制御手段は、前記第２の用紙設定手段により前記描画データの出力サイズを縮小する用紙サイズに設定した場合、前記描画データの描画サイズを縮小して生成される余白域に前記割り付け手段により前記文字列が割り付けられる描画データを生成し、該描画データを前記印刷装置が印刷可能な印刷データに変換して転送することを特徴とする請求項１記載の情報処理装置。
【請求項６】
色情報を文字情報に置換するための文字情報を記憶するデータベースを備え、カラー印刷処理を行う印刷装置と通信可能な情報処理装置におけるデータ処理方法であって、
描画データから描画オブジェクトの位置情報を抽出する位置情報抽出ステップと、
前記描画データから色情報を抽出する色情報抽出ステップと、
前記色情報抽出ステップにより抽出した色情報を基に前記データベースから該当する文字列を抽出する文字列抽出ステップと、
前記文字列抽出ステップにより抽出される文字列を前記位置情報に基づいて描画データの印刷域の外側に割り付ける割り付けステップと、
前記描画データまたは前記割り付けステップにより前記文字列が割り付けられる描画データを生成し、該生成される描画データを前記印刷装置が印刷可能な印刷データに変換して転送する制御ステップと、
を備えることを特徴とするデータ処理方法。
【請求項７】
前記割り付けステップは、前記印刷装置から取得される用紙資源情報を参照して、前記描画データに設定される用紙サイズよりもサイズが大きい用紙を選択可能かどうかを判断する判断ステップと、
前記判断ステップにより前記描画データに設定される用紙サイズよりもサイズが大きい用紙を選択可能であると判断した場合、前記描画データに設定される用紙サイズよりもサイズが大きい用紙を用紙サイズに設定する第１の用紙設定ステップと、
前記判断ステップにより前記描画データに設定される用紙サイズよりもサイズが大きい用紙を選択不可であると判断した場合、前記描画データの出力サイズを縮小する用紙サイズに設定する第２の用紙設定ステップとを有することを特徴とする請求項６記載のデータ処理方法。
【請求項８】
前記割り付けステップは、文字列と色領域の出力位置とを関係づける引き出し線を前記描画データに付加することを特徴とする請求項６記載のデータ処理方法。
【請求項９】
前記制御ステップは、前記描画データおよび前記割り付けステップにより前記文字列が割り付けられる描画データを前記印刷装置が印刷可能な異なる頁の印刷データに変換して連続して転送することを特徴とする請求項６記載のデータ処理方法。
【請求項１０】
前記制御ステップは、前記第２の用紙設定ステップにより前記描画データの出力サイズを縮小する用紙サイズに設定した場合、前記描画データの描画サイズを縮小して生成される余白域に前記割り付けステップにより前記文字列が割り付けられる描画データを生成し、該描画データを前記印刷装置が印刷可能な印刷データに変換して転送することを特徴とする請求項６記載のデータ処理方法。
【請求項１１】
請求項６〜１０のいずれかに記載のデータ処理方法を実行させるためのプログラムを格納したことを特徴とするコンピュータが読み取り可能な記憶媒体。
【請求項１２】
請求項６〜１０のいずれかに記載のデータ処理方法を実行させることを特徴とするプログラム。
【請求項１３】
プリンタに転送される印刷データを生成する情報処理装置であって、
色情報を文字情報に置換するためのデータベースと、
描画データから抽出された色情報を基に前記データベースから該当する文字列を抽出する文字列抽出手段と、
前記文字列抽出手段により抽出される文字列を枠外に割り付ける割り付け手段と、
前記割り付け手段により枠外に文字列が割りつけられて印刷される印刷データを生成する生成手段とを備えることを特徴とする情報処理装置。
【請求項１４】
プリンタに転送される印刷データを生成する印刷データ生成方法であって、
描画データから抽出された色情報を基に色情報を文字情報に置換するためのデータベースから該当する文字列を抽出する文字列抽出ステップと、
前記文字列抽出ステップにより抽出される文字列を枠外に割り付ける割り付けステップと、
前記割り付けステップにより枠外に文字列が割りつけられて印刷される印刷データを生成する生成ステップとを備えることを特徴とする印刷データ生成方法。
【請求項１５】
プリンタに転送される印刷データを生成するコンピュータ読み取り可能なプログラムであって、
描画データから抽出された色情報を基に色情報を文字情報に置換するためのデータベースから該当する文字列を抽出する文字列抽出ステップと、
前記文字列抽出ステップにより抽出される文字列を枠外に割り付ける割り付けステップと、
前記割り付けステップにより枠外に文字列が割りつけられて印刷される印刷データを生成する生成ステップとを備えることを特徴とするコンピュータ読み取り可能なプログラム。
【発明の詳細な説明】
【技術分野】
【０００１】
本発明は、カラー印刷される各オブジェクトの色情報を、色覚に障害のある人でも色の違いを認識可能な印刷データを生成する情報処理装置およびデータ処理方法およびコンピュータが読み取り可能なプログラムを格納した記憶媒体およびプログラムに関するものである。
【背景技術】
【０００２】
従来、情報処理装置のアプリケーションを実行して生成した描画情報を印刷装置からカラー印刷する場合に、色覚に障害のある人でも色の判断ができるように、色情報を付加して印刷を行うものが提案されていた。
【０００３】
一般的に、色覚障害の人達のために、色を認識させる手段としては、下記特許文献１に記載さているように、色を文字やマークと関連づけて、色を判断させるものと、下記特許文献２に記載されているように、印刷物に直接、色情報を書き込むなどが既に開示されている。
【特許文献１】特開平９−２１０９８５号公報
【特許文献２】特開２００１−２５７８６７号公報
【発明の開示】
【発明が解決しようとする課題】
【０００４】
しかしながら、上記従来例では、次のような問題があった。
【０００５】
特許文献１によれば、ガス漏れの検出のために、色と文字やマークを関連づけて、検出時にマークを表示させることで、ガス漏れの検出があったことを視覚的にわからせるだけで、必ずしも、色の情報を認識することはできない。
【０００６】
また、特許文献２によれば、印刷データに直接色情報を書き込んでいるので、書き込んだ文字列の下に印刷データが隠れてしまったり、細かい色情報を書き込めない。また、色情報が不要な人には、もう一度別に印刷を行わなければならない。
【０００７】
本発明は、上記の課題を解決するためになされたもので、本発明の目的は、描画データから抽出される色情報の各出力領域に割り付ける文字列をデータベースから抽出し、該抽出される文字列を位置情報に基づいて描画データの印刷域の外側に割り付け、前記描画データまたは文字列が割り付けられる描画データを生成し、該生成される描画データを印刷装置が印刷可能な印刷データに変換して転送することにより、簡単な構成で、生成される描画データの印刷域外に描画データの色情報を示す文字列等を印刷して、描画データのカラー印刷結果と本来の描画データとが混在して視認性を損ねることなく、その色見の違いを文字情報で伝達可能な印刷結果とを自在に得ることができる利便性に優れた情報処理装置およびデータ処理方法およびコンピュータが読み取り可能なプログラムを格納した記憶媒体およびプログラムを提供することである。
【課題を解決するための手段】
【０００８】
上記目的を達成する本発明の情報処理装置は以下に示す構成を備える。
【０００９】
カラー印刷処理を行う印刷装置と通信可能な情報処理装置であって、描画データから描画オブジェクトの位置情報を抽出する位置情報抽出手段と、前記描画データから色情報を抽出する色情報抽出手段と、色情報を文字情報に置換するための文字情報を記憶するデータベースと、前記色情報抽出手段により抽出した色情報を基に前記データベースから該当する文字列を抽出する文字列抽出手段と、前記文字列抽出手段により抽出される文字列を前記位置情報に基づいて描画データの印刷域の外側に割り付ける割り付け手段と、前記描画データまたは前記割り付け手段により前記文字列が割り付けられる描画データを生成し、該生成される描画データを前記印刷装置が印刷可能な印刷データに変換して転送する制御手段とを備えることを特徴とする。
【００１０】
上記目的を達成する本発明のデータ処理方法は以下に示す構成を備える。
【００１１】
色情報を文字情報に置換するための文字情報を記憶するデータベースを備え、カラー印刷処理を行う印刷装置と通信可能な情報処理装置におけるデータ処理方法であって、描画データから描画オブジェクトの位置情報を抽出する位置情報抽出ステップと、前記描画データから色情報を抽出する色情報抽出ステップと、前記色情報抽出ステップにより抽出した色情報を基に前記データベースから該当する文字列を抽出する文字列抽出ステップと、前記文字列抽出ステップにより抽出される文字列を前記位置情報に基づいて描画データの印刷域の外側に割り付ける割り付けステップと、前記描画データまたは前記割り付けステップにより前記文字列が割り付けられる描画データを生成し、該生成される描画データを前記印刷装置が印刷可能な印刷データに変換して転送する制御ステップとを備えることを特徴とする。
【発明の効果】
【００１２】
本発明によれば、簡単な構成で、生成される描画データの印刷域外に描画データの色情報を示す文字列等を印刷して、描画データのカラー印刷結果と本来の描画データとが混在して視認性を損ねることなく、その色見の違いを文字情報で伝達可能な印刷結果を自在に得ることができるという効果を奏する。
【発明を実施するための最良の形態】
【００１３】
次に本発明を実施するための最良の形態について図面を参照して説明する。
【００１４】
＜システム構成の説明＞
〔第１実施形態〕
図１は、本発明の第１実施形態を示す印刷制御装置を適用可能な印刷システムの構成を示すブロック図であり、本システムは、ホストコンピュータ３００とプリンタ１５０とが通信可能に接続される構成となっている。なお、通信接続形態は、所定のインタフェースによるか、ネットワークによるかは本発明の適用に限定されるものではない。
【００１５】
図１において、ホストコンピュータ３００は、ＣＰＵ１を備えている。ＣＰＵ１は、ＲＯＭ３のプログラム用ＲＯＭあるいは外部メモリ１１に記憶された文書処理プログラム等に基づいて、図形や、イメージ、文字、表（表計算等を含む）等が混在した文書処理を実行し、システムバス４に接続される各デバイスをＣＰＵ１が総括的に制御する。
【００１６】
また、このＲＯＭ３のプログラム用ＲＯＭあるいは外部メモリ１１には、ＣＰＵ１の制御プログラムであるオペレーティングシステムプログラム（以下ＯＳ）等が記憶され、ＲＯＭ３のフォント用ＲＯＭあるいは外部メモリ１１には、上記文書処理の際に使用するフォントデータ等が記憶され、ＲＯＭ３のデータ用ＲＯＭあるいは外部メモリ１１には、上記文書処理等を行う際に使用する各種データが記憶されている。
【００１７】
２はＲＡＭで、ＣＰＵ１の主メモリやワークエリア等として機能する。５はキーボードコントローラ（ＫＢＣ）で、キーボード９や不図示のポインティングデバイスからのキー入力を制御する。６はＣＲＴコントローラ（ＣＲＴＣ）で、ＣＲＴディスプレイ（ＣＲＴ）１０の表示を制御する。７はディスクコントローラ（ＤＫＣ）で、ブートプログラム、各種のアプリケーション、フォントデータ、ユーザファイル、編集ファイル、及びプリンタ制御コマンド生成プログラム（以下、プリンタドライバと記す）等を記憶する外部メモリ１１とのアクセスを制御する。外部メモリ１１は、ハードディスク（ＨＤ）やフレキシブルディスク（ＦＤ）等で構成される。
【００１８】
８はプリンタコントローラ（ＰＲＴＣ）で、所定の双方向性インタフェース（インタフェース）２１を介してプリンタ１５０に接続されて、プリンタ１５０との通信制御処理を実行する。なお、ＣＰＵ１は、例えばＲＡＭ２上に設定された表示情報のアウトラインフォントへの展開（ラスタライズ）処理を実行し、ＣＲＴ１０上でのＷＹＳＩＷＹＧを可能としている。また、ＣＰＵ１は、ＣＲＴ１０上に表示されるマウスカーソル等で指示されたコマンドに基づいて、登録された種々のウィンドウを開き、種々のデータ処理を実行する。これによって、ユーザは、印刷を実行する際、印刷の設定に関するウィンドウを開き、プリンタ１５０の設定や、印刷モードの選択を含むプリンタドライバに対する印刷処理方法の設定を行うことができる。
【００１９】
一方、プリンタ１５０は、プリンタＣＰＵ１２を備えている。プリンタＣＰＵ１２は、ＲＯＭ１３のプログラム用ＲＯＭに記憶された制御プログラム等あるいは外部メモリ１４に記憶された制御プログラム等に基づいて、システムバス１５に接続される印刷部（プリンタエンジン）１７に出力情報としての画像信号を出力する。また、このＲＯＭ１３のプログラム用ＲＯＭには、ＣＰＵ１２の制御プログラム等が記憶されている。ＲＯＭ１３のフォント用ＲＯＭには、上記出力情報を生成する際に使用するフォントデータ等が記憶され、ＲＯＭ１３のデータ用ＲＯＭには、ハードディスク等の外部メモリ１４を用いないプリンタ１５０の場合ではホストコンピュータ３００上で利用される情報等が記憶されている。
【００２０】
プリンタＣＰＵ１２は、入力部１８を介してホストコンピュータ３００との通信処理が可能となっており、プリンタ１５０内の情報等をホストコンピュータ３００に通知可能に構成されている。１９は前記ＣＰＵ１２の主メモリやワークエリア等として機能するＲＡＭで、図示しない増設ポートに接続されるオプションＲＡＭによりメモリ容量を拡張することができるように構成されている。
【００２１】
なお、ＲＡＭ１９は、出力情報展開領域や、環境データ格納領域、ＮＶＲＡＭ等に用いられる。前述したハードディスク（ＨＤ）や、ＩＣカード等の外部メモリ１４は、メモリコントローラ（ＭＣ）２０によりアクセスを制御される。外部メモリ１４は、オプションとして接続され、フォントデータや、エミュレーションプログラム、フォームデータ等を記憶する。さらに、１５１は前述した操作パネルで、操作のためのスイッチ及びＬＥＤ表示器等が配されている。
【００２２】
また、前述した外部メモリ１４は、少なくとも１個以上備えられ、内蔵フォントに加えてオプションフォントカード、言語系の異なるプリンタ制御言語を解釈するプログラムを格納した外部メモリを複数接続できるように構成されていても良い。さらに、図示しない不揮発性であるＮＶＲＡＭを有し、操作パネル１５１からのプリンタモード設定情報を記憶するようにしても良い。
【００２３】
図２は、図１に示したホストコンピュータ３００における典型的な印刷処理に供するモジュール構成を説明する図であり、ホストコンピュータ３００には、プリンタ１５０等の印刷装置が直接接続されているか、あるいはネットワーク経由で接続されている。
【００２４】
図２において、アプリケーション２０１、グラフィックエンジン２０２、プリンタドライバ２０３、及びシステムスプーラ２０４は、外部メモリ１１に保存されるファイルとして存在し、オペレーティングシステム（ＯＳ）やその他のモジュールによってＲＡＭ２にロードされ実行されるプログラムモジュールである。
【００２５】
また、アプリケーション２０１及びプリンタドライバ２０３は、ＦＤ、ＣＤ−ＲＯＭあるいは不図示のネットワークを経由して外部メモリ１１（ＨＤ）に追加することが可能となっている。
【００２６】
外部メモリ１１に保存されているアプリケーション２０１は、ＲＡＭ２にロードされて実行されるが、このアプリケーション２０１からプリンタ１５０で印刷を行う際には、同様にＲＡＭ２にロードされることで実行可能となっているグラフィックエンジン２０２を利用して出力（描画）を行う。
【００２７】
グラフィックエンジン２０２は、プリンタごとに用意されたプリンタドライバ２０３を同様に外部メモリ１１からＲＡＭ２にロードし、アプリケーション２０１の出力を、プリンタドライバ２０３を用いてプリンタ１５０の制御コマンドに変換する。変換されたプリンタ制御コマンドは、ＯＳによってＲＡＭ２にロードされたシステムスプーラ２０４を経てインタフェース２１経由でプリンタ１５０へ出力される仕組みとなっている。
【００２８】
図３は、図１に示したＲＡＭ２のメモリマップを説明する図であり、例えば本実施形態における印刷プログラムを含む印刷関連モジュールがホストコンピュータ３００上のＲＡＭ２にロードされ実行可能となった状態に対応する。
【００２９】
図３において、３０１は印刷用のアプリケーション、３０２は空きメモリ、３０３は印刷関連データ、３０４は印刷関連プログラム、３０５はＯＳ、３０６はＢＩＯＳであり、本実施形態における印刷制御プログラムは、印刷関連プログラム３０４の一部として存在している。このような構成を備える情報処理装置において本実施形態を図４等を参照しながら詳述する。
【００３０】
図４は、本発明の一実施形態を示す情報処理装置を適用可能な印刷システムの一例を示すブロック図である。
【００３１】
図４において、Ｃ１はプリンタドライバ本体（プリンタドライバ）で、図２に示したプリンタドライバ２０３と同等のものである。Ｃ２はインタフェース（ＤＤＩ）で、図３に示したアプリケーション３０１、ＯＳ３０５から描画命令を受け取る。Ｃ８は情報処理装置で、プリンタＣ７に加えて、他のモジュール、例えば図２に示すモジュールや、図１に示すハードウエア資源を備えている。
【００３２】
Ｃ３は色情報制御エンジンで、色情報の制御を行う。Ｃ４はレンダリングエンジンで、描画命令からプリンタＣ７が解釈できるデータに変換する。Ｃ５は色情報データベースで、色とその表示文字列の関連情報、例えばＹ，Ｍ，Ｃ，Ｋの割合で特定される色が緑色を示す場合には、「緑」という文字が対応付けられる簡易なテーブルから構成される。なお、色数を増やすことは任意である。
【００３３】
Ｃ６は内部スプーラ、Ｃ７はプリンタで、図示しないが、エンジンの構成に基づいて、給紙カセットや、手差し給紙手段を備え、例えば図３に示したように、ホストコンピュータ３００のプリンタドライバ２０３からの問い合わせ、例えば、描画データに対してアプリケーションから設定された用紙サイズよりも大きいサイズの用紙を給紙できるかどうかの問い合わせに応える機能を備えている。
【００３４】
また、プリンタＣ７は、複数の用紙サイズを給紙可能な給紙カセットを複数備える場合もあり、その場合も同様に、ホストコンピュータ３００のプリンタドライバ２０３からの問い合わせ、例えば、描画データに対してアプリケーションから設定された用紙サイズよりも大きいサイズの用紙を給紙できるかどうかの問い合わせに応える機能を備えている。
【００３５】
なお、プリンタＣ７は、情報処理装置Ｃ８と所定のインタフェース、あるいはネットワークを介して通信可能に接続されている。
【００３６】
本実施形態における情報処理装置は、以下の特徴的構成を備える。
【００３７】
カラー印刷処理を行うプリンタＣ７と通信可能な情報処理装置Ｃ８であって、描画データから描画オブジェクトの位置情報を抽出するように、図４に示した色情報制御エンジンＣ３が図７に示すステップＳ９を実行する。また、描画データから色情報を抽出するように、図４に示した色情報制御エンジンＣ３による図７に示すステップＳ１３を実行する。
【００３８】
また、色情報を文字情報に置換するための文字情報を記憶するデータベース、例えば図４に示す色情報ＤＢＣ５を備えている。
【００３９】
そして、プリンタドライバＣ１が抽出した色情報を基に前記データベースから該当する文字列を抽出するように、例えば図４に示した色情報制御エンジンＣ３による図７に示すステップＳ１４を実行する。また、プリンタドライバＣ１が抽出される文字列を前記位置情報に基づいて描画データの印刷域の外側に割り付けるように、図４に示した色情報制御エンジンＣ３が図７に示すステップＳ１５〜Ｓ１８を実行する。
【００４０】
さらに、描画データまたは前記割り付け手段により前記文字列が割り付けられる描画データを生成し、該生成される描画データを前記印刷装置が印刷可能な印刷データに変換して転送するように、図４に示すレンダリングエンジンＣ４が図８に示すステップＳ１９〜Ｓ２７を実行する。
【００４１】
これにより、簡単な構成で、生成される描画データの印刷域外に描画データの色情報を示す文字列等を印刷して、描画データのカラー印刷結果と本来の描画データとが混在して視認性を損ねることなく、その色見の違いを文字情報で伝達可能な印刷結果を自在に得ることができる。
【００４２】
また、プリンタドライバＣ１の割り付け機能処理は、プリンタＣ７から取得される用紙資源情報を参照して、前記描画データに設定される用紙サイズよりもサイズが大きい用紙を選択可能かどうかを判断する。例えば図４に示したプリンタドライバＣ１による図５に示すステップＳ２を実行する。
【００４３】
そして、描画データに設定される用紙サイズよりもサイズが大きい用紙を選択可能であると判断した場合、前記描画データに設定される用紙サイズよりもサイズが大きい用紙を用紙サイズに設定するように、図４に示したプリンタドライバＣ１による図５に示すステップＳ３を実行し、前記描画データに設定される用紙サイズよりもサイズが大きい用紙を選択不可であると判断した場合、前記描画データの出力サイズを縮小する用紙サイズに設定するように、図４に示したプリンタドライバＣ１による図５に示すステップＳ４，Ｓ５とを実行する。
【００４４】
これにより、印刷装置側の用紙資源の環境に適応して、描画データのカラー印刷結果と本来の描画データとが混在して視認性を損ねることなく、その色見の違いを文字情報を印刷できる設定用紙サイズよりも大きめの用紙を選択したり、設定された用紙サイズしか選択できない場合でも、その用紙サイズ内で、描画データを縮小することで、その描画データの外側に色見の違いを示す文字情報を印刷できるように用紙の選択と、印刷域の調整を行うことができる。
【００４５】
また、プリンタドライバＣ１による前記割り付け機能処理は、文字列と色領域の出力位置とを関係づける引き出し線を前記描画データに付加する。
【００４６】
これにより、印刷されているオブジェクトのどの領域が文字情報に対応する出力域かを確実に認識することができる。
【００４７】
さらに、プリンタドライバＣ１は、前記描画データおよび前記割り付け手段により前記文字列が割り付けられる描画データとをプリンタＣ７が印刷可能な異なる頁の印刷データに変換して連続して転送する。
【００４８】
これにより、描画データのオリジナル出力と該描画データの色領域を補足する説明が付加されている出力とを同時に得ることができる。
【００４９】
また、プリンタドライバＣ１は、前記描画データの出力サイズを縮小する用紙サイズに設定した場合、前記描画データの描画サイズを縮小して生成される余白域に前記割り付け手段により前記文字列が割り付けられる描画データを生成し、該描画データを前記プリンタＣ７が印刷可能な印刷データに変換して転送する。
【００５０】
これにより、印刷装置側の用紙資源の環境に適応して、描画データのカラー印刷結果と本来の描画データとが混在して視認性を損ねることなく、設定された用紙サイズしか選択できない場合でも、その用紙サイズ内で、描画データを縮小することで、その描画データの外側に色見の違いを示す文字情報を印刷できるように印刷域の調整を行うことができる。
【００５１】
図５は、本発明に係る情報処理装置における第１のデータ処理手順の一例を示すフローチャートであり、図４に示したプリンタドライバＣ１によるデータ処理手順に対応する。なお、Ｓ１〜Ｓ５は各ステップを示す。
【００５２】
ユーザによって印刷開始が指定されると、まず初めに、プリンタドライバＣ１は用紙サイズを取得し、出力用紙１として用紙を設定する（Ｓ１）。ここで、事前にプリンタＣ７より取得しておいたプリンタ本体の情報を基に、取得した用紙サイズのカセット１の他に、色情報付加データ印刷用のもう一回り大きい用紙のカセット２があるか否かを判断し（Ｓ２）、色情報付加データ印刷用のもう一回り大きい用紙のカセット２があると判断した場合は、出力用紙２を設定する（Ｓ３）。
【００５３】
例えば、印刷データの用紙サイズがＡ４であった場合には、プリンタに、Ａ４サイズの用紙カセットとＡ３サイズの用紙カセットが装着されていることを確認する。
【００５４】
一方、ステップＳ２で、プリンタＣ７が１つのサイズの用紙しか給紙できない場合、例えば、Ａ４サイズの用紙カセットしか装着されていないとプリンタドライバＣ１が判断した場合には、色情報付加データ印刷用の出力用紙も出力用紙１に設定し（Ｓ４）、縮小フラグをＯＮにして（Ｓ５）、本処理を終了する。なお、縮小フラグは、図１に示したＲＡＭ２上で記憶される。
【００５５】
図６は、本発明に係る情報処理装置における第２のデータ処理手順の一例を示すフローチャートであり、図４に示したプリンタドライバＣ１によるデータ処理手順に対応する。なお、Ｓ６，Ｓ７は各ステップを示す。
【００５６】
印刷データがＤＤＩＣ２を経由してプリンタドライバＣ１に送られてくるので、個々の描画命令の処理としては、まず、レンダリングエンジンＣ４によりレンダリングを行い（Ｓ６）、プリンタＣ７が解釈できるデータ形式に変換した後に、プリンタＣ７に印刷データを転送して（Ｓ７）、処理を終了する。
【００５７】
なお、印刷データには、図５に示したステップＳ３による設定、または、縮小フラグが反映されて転送される。
【００５８】
図７は、本発明に係る情報処理装置における第３のデータ処理手順の一例を示すフローチャートであり、図４に示したプリンタドライバＣ１による色情報付加印刷の処理手順に対応する。なお、Ｓ８〜Ｓ１８は各ステップを示す。
【００５９】
色情報付加印刷の処理では、色情報制御エンジンＣ３は、色情報付加データ印刷用に、送られてきた描画命令のうち、まず、位置情報を抽出し（Ｓ８）、色情報付加データ印刷用に座標を変換し（Ｓ９）、描画命令を作成し直して（Ｓ１０）、内部スプーラＣ６に保存する（Ｓ１１）。
【００６０】
その後、色情報があるかどうかをプリンタドライバＣ１の色情報制御エンジンＣ３が判断して、色情報の無いものに関しては、何も処理せずに本処理を終了する。
【００６１】
一方、ステップＳ１２で、色情報があると判断した場合は、色情報があるものを抽出し、描画命令の中から色情報を検出した場合には、色情報を取得し（Ｓ１３）、色情報ＤＢＣ５から該当する色に対する色情報文字列を取得し（Ｓ１４）、その色情報文字列を印刷する座標を印刷オブジェクトに近い位置の枠外の座標として算出し（Ｓ１５）、印刷オブジェクトと色情報文字列とを結びつける引き出し線の位置情報を算出し（Ｓ１６）、それぞれの描画命令を作成し（Ｓ１７）。これらのデータも、先に描画命令を保存した内部スプーラＣ６に保存して（Ｓ１８）、本処理を終了する。
【００６２】
図８は、本発明に係る情報処理装置における第４のデータ処理手順の一例を示すフローチャートであり、図４に示したプリンタドライバＣ１によるデータ処理手順に対応する。なお、Ｓ１９〜Ｓ２７は各ステップを示す。
【００６３】
そして、１ページ分の描画データを保存し終えたところで、縮小フラグの設定（縮小フラグＯＮ）されているか否かを判断して（Ｓ１９）、縮小フラグがＯＦＦであると判断した場合は、出力用紙を出力用紙２に設定し（Ｓ２０）、縮小フラグがＯＮであると判断した場合は、出力用紙１に設定する（Ｓ２１）。
【００６４】
これらは、前述したが、例えば出力用紙２がＡ３サイズで、出力用紙１がＡ４用紙になる。
【００６５】
そして、出力用紙が決まったら、内部スプーラＣ６から描画命令を読み出し（Ｓ２２）、データが終わりであると判断した場合は、本処理を終了する（Ｓ２３）。
【００６６】
一方、ステップＳ２３で、データが終わりでないと判断した場合は、縮小フラグが設定（縮小フラグＯＮ）されているか否かを判断して（Ｓ２４）、縮小フラグがＯＦＦであると判断した場合は、レンダリングエンジンＣ４によってプリンタＣ７が解釈できる印刷データにそのまま変換され（Ｓ２５）、プリンタＣ７に送信して（Ｓ２７）、本処理を終了する。
【００６７】
一方、ステップＳ２４で、縮小フラグがＯＮ状態であると判断した場合は、保存されていた描画命令は、レンダリングエンジンＣ４によって出力用紙１のサイズに収まるようにデータを縮小して、プリンタが解釈できる印刷データに変換され（Ｓ２６）、プリンタＣ７に送信して（Ｓ２７）、本処理を終了する。
【００６８】
図９〜図１１は、図４に示したプリンタＣ７から出力される印刷結果例を示す図であり、図９は、オリジナル印刷データの印刷結果例に対応し、図１０は、設定された用紙サイズよりも一回り大きいサイズの用紙を給紙可能であると判断された場合の印刷結果例に対応し、図１１は、設定された用紙サイズよりも一回り大きいサイズの用紙を給紙可能でないと判断された場合の縮小印刷結果例に対応する。
【００６９】
本実施形態によれば、図８に示す制御手順を実行することで、１ページ目は、図９のように、そのままのデータが印刷され、次のページには、図１０のように、枠外に色情報が付加されたデータが印刷され、また、出力用紙が１種類しかない場合には、図１１のように縮小されて印刷され、色覚障害のある人も、ない人も、同じ印刷物を見て、色情報を共有することができる。
【００７０】
また、通常の色つきの印刷データのほかに、印刷した元データよりも１まわり大きな用紙の中央に元データを印刷し、その周囲に、印刷情報の文字列を付加することにより、色覚障害を持つ人にも、正常な色覚の人と同様に、元データの情報を欠くことなく、同じデータを共有することができ、しかも、これらの処理を１度の印刷で行えるので、効率的な印刷が行える。
【００７１】
〔第２実施形態〕
以下、図１２に示すメモリマップを参照して本発明に係る情報処理装置で読み取り可能なデータ処理プログラムの構成について説明する。
【００７２】
図１２は、本発明に係る情報処理装置で読み取り可能な各種データ処理プログラムを格納する記憶媒体のメモリマップを説明する図である。
【００７３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００７４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００７５】
本実施形態における図５〜図８に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００７６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００７７】
この場合、記憶媒体から読み出されたプログラムコード自体が本発明の新規な機能を実現することになり、そのプログラムコードを記憶した記憶媒体は本発明を構成することになる。
【００７８】
従って、プログラムの機能を有していれば、オブジェクトコード、インタプリタにより実行されるプログラム、ＯＳに供給するスクリプトデータ等、プログラムの形態を問わない。
【００７９】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００８０】
この場合、記憶媒体から読出されたプログラムコード自体が前述した実施形態の機能を実現することになり、そのプログラムコードを記憶した記憶媒体は本発明を構成することになる。
【００８１】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００８２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８５】
本発明は上記実施形態に限定されるものではなく、本発明の趣旨に基づき種々の変形（各実施形態の有機的な組合せを含む）が可能であり、それらを本発明の範囲から排除するものではない。
【００８６】
本発明の様々な例と実施形態を示して説明したが、当業者であれば、本発明の趣旨と範囲は、本明細書内の特定の説明に限定されるものではない。
【００８７】
なお、本発明は、上記した実施形態に限定されるものではなく、本発明の要旨を逸脱しない範囲内において種々変更を加え得ることは勿論である。以下、その実施態様１〜１５について説明する。
【００８８】
〔実施態様１〕
カラー印刷処理を行う印刷装置と通信可能な情報処理装置であって、描画データから描画オブジェクトの位置情報を抽出する位置情報抽出手段（図４に示した色情報制御エンジンＣ３による図７に示すステップＳ９）と、前記描画データから色情報を抽出する色情報抽出手段（図４に示した色情報制御エンジンＣ３による図７に示すステップＳ１３）と、色情報を文字情報に置換するための文字情報を記憶するデータベース（図４に示す色情報ＤＢＣ５）と、前記色情報抽出手段により抽出した色情報を基に前記データベースから該当する文字列を抽出する文字列抽出手段（図４に示した色情報制御エンジンＣ３による図７に示すステップＳ１４）と、前記文字列抽出手段により抽出される文字列を前記位置情報に基づいて描画データの印刷域の外側に割り付ける割り付け手段（図４に示した色情報制御エンジンＣ３による図７に示すステップＳ１５〜Ｓ１８）と、前記描画データまたは前記割り付け手段により前記文字列が割り付けられる描画データを生成し、該生成される描画データを前記印刷装置が印刷可能な印刷データに変換して転送する制御手段（図４に示すレンダリングエンジンＣ４によるステップ８に示すステップＳ１９〜Ｓ２７）とを備えることを特徴とする情報処理装置。
【００８９】
これにより、簡単な構成で、生成される描画データの印刷域外に描画データの色情報を示す文字列等を印刷して、描画データのカラー印刷結果と本来の描画データとが混在して視認性を損ねることなく、その色見の違いを文字情報で伝達可能な印刷結果とを自在に得ることができる。
【００９０】
〔実施態様２〕
前記割り付け手段は、前記印刷装置から取得される用紙資源情報を参照して、前記描画データに設定される用紙サイズよりもサイズが大きい用紙を選択可能かどうかを判断する判断手段（図４に示したプリンタドライバＣ１による図５に示すステップＳ２）と、前記判断手段により前記描画データに設定される用紙サイズよりもサイズが大きい用紙を選択可能であると判断した場合、前記描画データに設定される用紙サイズよりもサイズが大きい用紙を用紙サイズに設定する第１の用紙設定手段（図４に示したプリンタドライバＣ１による図５に示すステップＳ３）と、前記判断手段により前記描画データに設定される用紙サイズよりもサイズが大きい用紙を選択不可であると判断した場合、前記描画データの出力サイズを縮小する用紙サイズに設定する第２の用紙設定手段（図４に示したプリンタドライバＣ１による図５に示すステップＳ４、Ｓ５）とを有することを特徴とする実施態様１記載の情報処理装置。
【００９１】
これにより、印刷装置側の用紙資源の環境に適応して、描画データのカラー印刷結果と本来の描画データとが混在して視認性を損ねることなく、その色見の違いを文字情報を印刷できる設定用紙サイズよりも大きめの用紙を選択したり、設定された用紙サイズしか選択できない場合でも、その用紙サイズ内で、描画データを縮小することで、その描画データの外側に色見の違いを示す文字情報を印刷できるように用紙の選択と、印刷域の調整を行うことができる。
【００９２】
〔実施態様３〕
前記割り付け手段は、文字列と色領域の出力位置とを関係づける引き出し線を前記描画データに付加することを特徴とする実施態様１記載の情報処理装置。
【００９３】
これにより、印刷されているオブジェクトのどの領域が文字情報に対応する出力域かを確実に認識することができる。
【００９４】
〔実施態様４〕
前記制御手段は、前記描画データおよび前記割り付け手段により前記文字列が割り付けられる描画データを前記印刷装置が印刷可能な異なる頁の印刷データに変換して連続して転送することを特徴とする実施態様１記載の情報処理装置。
【００９５】
これにより、描画データのオリジナル出力と該描画データの色領域を補足する説明が付加されている出力とを同時に得ることができる。
【００９６】
〔実施態様５〕
前記制御手段は、前記第２の用紙設定手段により前記描画データの出力サイズを縮小する用紙サイズに設定した場合、前記描画データの描画サイズを縮小して生成される余白域に前記割り付け手段により前記文字列が割り付けられる描画データを生成し、該描画データを前記印刷装置が印刷可能な印刷データに変換して転送することを特徴とする実施態様１記載の情報処理装置。
【００９７】
これにより、印刷装置側の用紙資源の環境に適応して、描画データのカラー印刷結果と本来の描画データとが混在して視認性を損ねることなく、設定された用紙サイズしか選択できない場合でも、その用紙サイズ内で、描画データを縮小することで、その描画データの外側に色見の違いを示す文字情報を印刷できるように印刷域の調整を行うことができる。
【００９８】
〔実施態様６〕
色情報を文字情報に置換するための文字情報を記憶するデータベース（図４に示す色情報ＤＢＣ５）を備え、カラー印刷処理を行う印刷装置と通信可能な情報処理装置におけるデータ処理方法であって、描画データから描画オブジェクトの位置情報を抽出する位置情報抽出ステップ（図４に示す色情報制御エンジンＣ３による図７に示すステップＳ９）と、前記描画データから色情報を抽出する色情報抽出ステップ（図４に示す色情報制御エンジンＣ３による図７に示すステップＳ１３）と、前記色情報抽出ステップにより抽出した色情報を基に前記データベースから該当する文字列を抽出する文字列抽出ステップ（図４に示す色情報制御エンジンＣ３による図７に示すステップＳ１４）と、前記文字列抽出ステップにより抽出される文字列を前記位置情報に基づいて描画データの印刷域の外側に割り付ける割り付けステップ（図４に示す色情報制御エンジンＣ３による図７に示すステップＳ１５〜Ｓ１８）と、前記描画データまたは前記割り付けステップにより前記文字列が割り付けられる描画データを生成し、該生成される描画データを前記印刷装置が印刷可能な印刷データに変換して転送する制御ステップ（図４に示すレンダリングエンジンＣ４による図８に示すステップＳ１９〜Ｓ２７）とを備えることを特徴とするデータ処理方法。
【００９９】
これにより、実施態様１と同等の効果を奏する。
【０１００】
〔実施態様７〕
前記割り付けステップは、前記印刷装置から取得される用紙資源情報を参照して、前記描画データに設定される用紙サイズよりもサイズが大きい用紙を選択可能かどうかを判断する判断ステップ（図４に示すプリンタドライバＣ１による図５に示すステップＳ２）と、前記判断ステップにより前記描画データに設定される用紙サイズよりもサイズが大きい用紙を選択可能であると判断した場合、前記描画データに設定される用紙サイズよりもサイズが大きい用紙を用紙サイズに設定する第１の用紙設定ステップ（図４に示すプリンタドライバＣ１による図５に示すステップＳ３）と、前記判断ステップにより前記描画データに設定される用紙サイズよりもサイズが大きい用紙を選択不可であると判断した場合、前記描画データの出力サイズを縮小する用紙サイズに設定する第２の用紙設定ステップ（図４に示すプリンタドライバＣ１による図５に示すステップＳ４、Ｓ５）とを有することを特徴とする実施態様６記載のデータ処理方法。
【０１０１】
これにより、実施態様２と同等の効果を奏する。
【０１０２】
〔実施態様８〕
前記割り付けステップは、文字列と色領域の出力位置とを関係づける引き出し線を前記描画データに付加することを特徴とする実施態様６記載のデータ処理方法。
【０１０３】
これにより、実施態様３と同等の効果を奏する。
【０１０４】
〔実施態様９〕
前記制御ステップは、前記描画データおよび前記割り付けステップにより前記文字列が割り付けられる描画データを前記印刷装置が印刷可能な異なる頁の印刷データに変換して連続して転送することを特徴とする実施態様６記載のデータ処理方法。
【０１０５】
これにより、実施態様４と同等の効果を奏する。
【０１０６】
〔実施態様１０〕
前記制御ステップは、前記第２の用紙設定ステップにより前記描画データの出力サイズを縮小する用紙サイズに設定した場合、前記描画データの描画サイズを縮小して生成される余白域に前記割り付けステップにより前記文字列が割り付けられる描画データを生成し、該描画データを前記印刷装置が印刷可能な印刷データに変換して転送することを特徴とする実施態様６記載のデータ処理方法。
【０１０７】
これにより、実施態様５と同等の効果を奏する。
【０１０８】
〔実施態様１１〕
実施態様６〜１０のいずれかに記載のデータ処理方法を実行させるためのプログラムを格納したことを特徴とするコンピュータが読み取り可能な記憶媒体。
【０１０９】
これにより、実施態様６〜１０と同等の効果を奏する。
【０１１０】
〔実施態様１２〕
実施態様６〜１０のいずれかに記載のデータ処理方法を実行させることを特徴とするプログラム。
【０１１１】
これにより、実施態様６〜１０と同等の効果を奏する。
【０１１２】
〔実施態様１３〕
プリンタに転送される印刷データを生成する情報処理装置であって、色情報を文字情報に置換するためのデータベースと、描画データから抽出された色情報を基に前記データベースから該当する文字列を抽出する文字列抽出手段と、前記文字列抽出手段により抽出される文字列を枠外に割り付ける割り付け手段と、前記割り付け手段により枠外に文字列が割りつけられて印刷される印刷データを生成する生成手段とを備えることを特徴とする情報処理装置。
【０１１３】
〔実施態様１４〕
プリンタに転送される印刷データを生成する印刷データ生成方法であって、描画データから抽出された色情報を基に色情報を文字情報に置換するためのデータベースから該当する文字列を抽出する文字列抽出ステップと、前記文字列抽出ステップにより抽出される文字列を枠外に割り付ける割り付けステップと、前記割り付けステップにより枠外に文字列が割りつけられて印刷される印刷データを生成する生成ステップとを備えることを特徴とする印刷データ生成方法。
【０１１４】
〔実施態様１５〕
プリンタに転送される印刷データを生成するコンピュータ読み取り可能なプログラムであって、描画データから抽出された色情報を基に色情報を文字情報に置換するためのデータベースから該当する文字列を抽出する文字列抽出ステップと、前記文字列抽出ステップにより抽出される文字列を枠外に割り付ける割り付けステップと、前記割り付けステップにより枠外に文字列が割りつけられて印刷される印刷データを生成する生成ステップとを備えることを特徴とするコンピュータ読み取り可能なプログラム。
【図面の簡単な説明】
【０１１５】
【図１】本発明の第１実施形態を示す印刷制御装置を適用可能な印刷システムの構成を示すブロック図である。
【図２】図１に示したホストコンピュータにおける典型的な印刷処理に供するモジュール構成を説明する図である。
【図３】図１に示したＲＡＭのメモリマップを説明する図である。
【図４】本発明の一実施形態を示す情報処理装置を適用可能な印刷システムの一例を示すブロック図である。
【図５】本発明に係る情報処理装置における第１のデータ処理手順の一例を示すフローチャートである。
【図６】本発明に係る情報処理装置における第２のデータ処理手順の一例を示すフローチャートである。
【図７】本発明に係る情報処理装置における第３のデータ処理手順の一例を示すフローチャートである。
【図８】本発明に係る情報処理装置における第４のデータ処理手順の一例を示すフローチャートである。
【図９】図４に示したプリンタから出力される印刷結果例を示す図である。
【図１０】図４に示したプリンタから出力される印刷結果例を示す図である。
【図１１】図４に示したプリンタから出力される印刷結果例を示す図である。
【図１２】本発明に係る情報処理装置で読み取り可能な各種データ処理プログラムを格納する記憶媒体のメモリマップを説明する図である。
【符号の説明】
【０１１６】
１５０  プリンタ
２０１  アプリケーション
２０２  グラフィックエンジン
２０３  プリンタドライバ
２０４  システムスプーラ
３００  ホストコンピュータ
【図１】
2006039694.tif 000003
【図２】
2006039694.tif 000004
【図３】
2006039694.tif 000005
【図４】
2006039694.tif 000006
【図５】
2006039694.tif 000007
【図６】
2006039694.tif 000008
【図７】
2006039694.tif 000009
【図８】
2006039694.tif 000010
【図９】
2006039694.tif 000011
【図１０】
2006039694.tif 000012
【図１１】
2006039694.tif 000013
【図１２】
2006039694.tif 000014